(57)【要約】水の連続相中に１ないし１０ｎｍ、好ましくは１０ないし５０ｎｍの範囲の分散粒子のサイズを有するエマルジョンとして少なくとも１種のシロキサン化合物の分散体を含む節足動物の根絶または防除のための流体組成物。好ましい態様において、分散相中のシロキサン化合物は、５０ないし９９．９体積パーセントの１以上の揮発性シロキサンと残部の１以上の非揮発性シロキサンを含む。分散相は、０．１ないし１５体積パーセントの１以上の非揮発性シロキサンおよび９７．１ないし９５．５体積パーセントの１以上の揮発性シロキサンを有し得る。非揮発性シロキサンは、好ましくは、ジメチコーンまたはジメチコノールのような直鎖シロキサンであり、揮発性シロキサンは、シクロペンタシロキサンまたはシクロメチコーンのような環状シロキサンである。節足動物は、節足動物を有するか、有すると考えられる表面に流体組成物を適用することにより防除または根絶される。水相は、シロキサン化合物を残してなくなる。【特許請求の範囲】
【請求項１】
水の連続相中に１ないし１００ｎｍの範囲の分散粒子のサイズを有するエマルジョンとして少なくとも１種のシロキサン化合物の分散体を含む節足動物の根絶または防除のための流体組成物。
【請求項２】
前記分散粒子のサイズが、１０ないし５０ｎｍの範囲にある請求項１記載の流体組成物。
【請求項３】
分散相中のシロキサン化合物が、５０ないし９９．９体積パーセントの１以上の揮発性シロキサンと残部の１以上の非揮発性シロキサンを含む請求項１または２記載の流体組成物。
【請求項４】
前記分散相中の前記シロキサン化合物が、０．１ないし１５体積パーセントの１以上の非揮発性シロキサンを含む請求項３記載の流体組成物。
【請求項５】
前記分散相中の前記シロキサン化合物が、９７．１ないし９５．５体積パーセントの１以上の揮発性シロキサンを含む請求項３記載の流体組成物。
【請求項６】
前記非揮発性シロキサンが、直鎖シロキサンである請求項３ないし５のいずれか１項記載の流体組成物。
【請求項７】
前記非揮発性シロキサンが、ジメチコーンまたはジメチコノールである請求項６記載の流体組成物。
【請求項８】
前記揮発性シロキサンが、環状シロキサンである請求項３ないし５のいずれか１項記載の流体組成物。
【請求項９】
前記揮発性シロキサンが、シクロペンタシロキサンまたはシクロメチコーンである請求項８記載の流体組成物。
【請求項１０】
請求項１ないし９のいずれかに記載された流体組成物を表面に適用する過程を備える節足動物を防除する方法。
【発明の詳細な説明】
【技術分野】
【０００１】
本発明は、接触動物を防除し、消除するための新規の組成物およびその使用方法に関する。
【背景技術】
【０００２】
節足動物は、他の種に毒性を持ち、環境に有害な効果を有する化合物の使用無しに防除することが困難である多数の所望されざる昆虫およびクモ形類動物を含む。
【発明の開示】
【発明が解決しようとする課題】
【０００３】
本発明は、残留毒性が極めて小さく、環境に優しい組成物を提供する。
【課題を解決するための手段】
【０００４】
本発明によれば、水の連続相中に１ないし１００ｎｍの範囲の分散粒子のサイズを有するエマルジョンとしての少なくとも１種のシロキサン化合物の分散体を含む節足動物の根絶または防除のための流体組成物が提供される。
【０００５】
シロキサン化合物は、直鎖シロキサン、分枝鎖シロキサン、環状シロキサンまたはシリコーンポリマーまたはそのような化合物の２以上の混合物であり得る。好ましい態様において、シロキサン粒子は、非揮発性および揮発性シロキサン化合物の混合物を含む。
【０００６】
シロキサン化合物は、ロータリーブレード分散装置または同様の装置を用いて通常の方法で水中に分散される。２以上のシロキサン化合物が含まれている場合には、それらは分散の前に混合してもよいし、または別々に分散させ、分散体として混合してもよい。分散相についての好ましい粒子サイズは、１０から５０ｎｍの範囲にある。界面活性剤のような添加剤が、分散を助けるために含まれ得るし、および／またはシロキサン化合物は、アミノ基のような分散を助ける置換基を有し得る。香料、着色料および保存料もまた少量存在し得る。
【０００７】
本発明の組成物で用いられるタイプのシロキサン化合物は、シリコーン製造者および販売者から容易に入手可能である。
【発明を実施するための最良の形態】
【０００８】
本発明で用いられ得る直鎖シロキサン化合物の典型的な例として、以下の非限定的な例には、
【化１】
2004532199.tif 000002
【０００９】
（式中、Ｒは、２０までの炭素原子を含む１以上の直鎖、分枝鎖または環状アルキル基、単環もしくは多環アリール基またはヘテロ環基であり得る置換基を表す）が含まれる。置換基Ｒは、さらに、アルケニル、アルキニル、エステル、エーテル、アルコキシ、ハロゲン、シアノおよびメルカプト基、第１級、第２級、第３級、および第４級アミン基および炭化水素基のような潜在的に反応性の官能基を含む置換基も有し得る。ｎは、１ないし１５００、好ましくは２０ないし７０００の範囲の整数である。
【００１０】
本発明の組成物で用いられ得るシロキサン化合物の更なる典型例には、
【化２】
2004532199.tif 000003
【化３】
2004532199.tif 000004
【化４】
2004532199.tif 000005
【化５】
2004532199.tif 000006
【００１１】
（式中、Ｒは、式［Ａ］について記述されたのと同じ置換基を表し、ｎは、式Ａにおけるのと同じ値を有する）が含まれる。ｍは、整数ｎについてと同じ範囲にある整数である。
【００１２】
シロキサンの揮発性と粘度は、化合物の分子の大きさに依存する。このことは、今度は、高分子鎖の長さを規定するｎおよびｍの数値に依存し、また、置換基Ｒの性質にも依存する。式Ｂにより例示されるタイプの直鎖シロキサンについては、粘度は、好ましくは、２０，０００センチストロークを超える。式ＡないしＥにより包含される直鎖シロキサンの例は、ヘキサメチルジシロキサン、トリメチル末端保護化（ｂｌｏｃｋｅｄ）ポリジメチルシロキサン、フェニルトリメチコーンおよびジメチコーンである。そのような化合物は、商標「ダウ・コーニング」２００、５５６、２５０２および５３２４の下で入手可能である。
【００１３】
本発明の組成物で用いられ得る好ましいシロキサン化合物は、官能基Ｒの少なくとも１つが水酸基である式Ａの化合物である。
【００１４】
本発明で用いられ得る環状シロキサン化合物の典型例として、以下の非限定的な例には、
【化６】
2004532199.tif 000007
【００１５】
（式中、Ｒは、式［Ａ］について記載されたのと同じ置換基を表し、ｐは、３から１０の範囲の整数である）が含まれる。直鎖シロキサン化合物についてと同じように、環状シロキサン化合物の揮発性と粘度は、化合物の分子サイズに依存する。このことは、今度は、環の大きさを規定するｐの数値に依存し、また、置換基Ｒの性質にも依存する。Ｒがメチル基である非揮発性環状シロキサン化合物については、ｐは８以上であるべきである。好ましい環状化合物では、Ｒは好ましくは、水素原子または水酸基ではない。
【００１６】
本発明の組成物での使用のための好ましい環状シロキサン化合物は、好ましくは、ｐが３ないし７の範囲にあり、Ｒが、１０までの炭素原子を有するアルキル基および６から１０個の炭素原子を有するアリール基、水素原子またはビニル基である揮発性化合物である。最も好ましい化合物は、Ｒがメチル基であり、ｐが４ないし６の範囲にある化合物である。その化合物は、好ましい範囲内の異なる値のｐを有する化合物の混合物を含み得る。
【００１７】
式Ｆにより包含される環状シロキサンの例は、ヘキサメチルシクロトリシロキサン、オクトメチルシクロペンタシロキサンおよびデカメチルシクロヘキサシロキサンであり、それらの混合物も含む。本発明での使用にとって好ましい環状シロキサンには、商標「ダウ・コーニング」２４５の下で入手可能なもののようなシクロジメチコーン、シクロペンタシロキサンおよびシクロペンタシロキサンとシクロヘキサシロキサンの混合物の３４５が含まれる。
【００１８】
本発明で用いられ得るシロキサンコポリマー化合物の典型例として、以下の非限定的な例には、
【化７】
2004532199.tif 000008
【００１９】
（式中、Ｒは、式Ａで記載されているのと同じ置換基を表し、ｎは、式Ａにおけるのと同じ値を有し、ｍは、整数ｎについてと同じ範囲にある整数である）が含まれる。Ｘは、ｎおよびｍの値を考慮して選択され、１０００ないし３０，０００の範囲の好ましい分子量と２５ないし９０パーセントの範囲の非シロキサン含有量を有するコポリマーを与える。そのような化合物は、４０ないし４０，０００センチストロークの範囲の粘度を有する。そのような化合物は、商標「ダウ・コーニング」１９３の下で入手可能なジメチコーンコポリオールが含まれる。
【００２０】
本発明での使用にとって適切な商業的に入手可能なシロキサンおよび化合物は、鎖長、したがって、主成分の分子量により一般的に規定される様々の粘度で入手可能である。「ダウ・コーニング」２００は、０．６５ないし６０，０００センチストロークの範囲の粘度で入手可能である。低分子量化合物は揮発性であろうし、一方、高分子量化合物は非揮性であろう。本発明の多くの態様については、揮発性シロキサンおよび非揮発性シロキサン化合物の混合物が好ましい。
【００２１】
本発明の組成物の分散相中のシロキサン化合物には、５０ないし９９．９体積パーセント、好ましくは８５ないし９９体積パーセントの揮発性シリコーン、および０．１ないし５０体積パーセント、好ましくは０．１ないし１５体積パーセントの非揮発性シロキサンが含まれ得る。最も好ましい範囲は、９７．１ないし９５．５体積パーセントの揮発性シロキサンと残部の非揮発性シロキサンである。
【００２２】
好ましい非揮発性シロキサンは、ジメチコーンまたはジメチコノールのような直鎖シロキサンである。揮発性シロキサンは、好ましくは、シクロペンタシロキサンまたはシクロメチコーンのような環状シロキサンである。
【００２３】
組成物中のシクロシロキサンの作用は、一部の事例では、少量の炭化水素油またはワックスまたはポリテトラフルオロエチレン粒子の分散液の添加により高められ得る。
【００２４】
本発明の組成物は、節足動物、特に昆虫およびクモ型類動物のような陸生の節足動物の防除に有効である。本組成物は、流体状で容易に適用し得る。連続相を形成する水は、蒸発し、吸収され、または、処理される表面と接触して分散相を残して基材への適用の後に除去される。分散された相を含む粒子は、それが適用される基材上に、およびそれが接触に至る節足動物上に癒着してフィルムを形成しうる。分散液は、木食性昆虫（ｗｏｏｄ  ｂｏｒｉｎｇ  ｉｎｓｅｃｔ）、ノミ、シラミ、甘味ヒゼンダニ（ｓｗｅｅｔ  ｉｔｃｈ  ｍｉｔｅ）、ナンキンムシ、ゴキブリ、マダニ、ゾウムシ、およびハウスダストの中のダニに対して特に有効であることが見出されている。
【国際公開パンフレット】
2004532199.tif 000009
2004532199.tif 000010
2004532199.tif 000011
2004532199.tif 000012
2004532199.tif 000013
2004532199.tif 000014
2004532199.tif 000015
2004532199.tif 000016
【国際調査報告】
2004532199.tif 000017
2004532199.tif 000018
2004532199.tif 000019